(57)【特許請求の範囲】
【請求項１】
コンクリートブロックに、平鋼を捩じったねじり平鋼の外形を型どったネジ穴を開けたコンクリートブロックを複数個並べて、ネジ穴にねじり平鋼を通して結合する事を特徴とする、コンクリートブロックの結合方法。
【請求項２】
該コンクリートブロックに、平鋼を捩じった他のねじり平鋼が通る丸穴を別途設け、該コンクリートブロックを複数個並べて、該ネジ穴にねじり平鋼を通して結合すると共に、該丸穴に他のねじり平鋼を通して、該丸穴にコンクリートを流し込んで結合する事を特徴とする、請求項１記載のコンクリートブロックの結合方法。
【請求項３】
コンクリートブロックに、平鋼を捩じったねじり平鋼の外形を型どったネジ穴を横方向に、ねじり平鋼が通る丸穴を縦方向に、夫々開けたコンクリートブロックを複数個纏めて、ネジ穴と丸穴に各ねじり平鋼を通し、丸穴にコンクリートを流し込んで結合した事を特徴とする、コンクリートブロックを結合した構造物。
【発明の詳細な説明】
【０００１】
【発明の属する技術分野】
本発明は、複数個のコンクリートブロックを結合する方法と、その方法を用いて複数個のコンクリートブロックを纏めて結合した構造物に関するものである。
【０００２】
【従来の技術】
従来のコンクリートブロックの結合方法は、図５に示す如きブロック塀を例にとり説明すると、先ず地面を浅く掘って作った溝にコンクリートを流し込んで基礎（１）を作り、基礎の上に複数個のコンクリートブロック（２）を並べ、ブロックの接合部の穴に鉄金（３）を立てた後、穴にセメントを流し込んで順次積み上げている。
【０００３】
【発明が解決しようとする課題】
この様にして結合したコンクリートブロックは、基礎とブロックや、ブロック同志の結合が弱い為、倒壊し易かった。
【０００４】
【課題を解決するための手段】
そこで本発明は、従来の鉄金の代わりに、平鋼を捩ったねじり平鋼を芯金として使う事にした。このねじり平鋼は、長い平鋼を同じピッチで真っ直ぐに捩じった物であり、本出願人が、先にねじり平鋼を捩じれる方法と機械を開発し、既に特願平１０−２７２５１２により特許出願済みで、今では簡単に製造出来る。
【０００５】
そこで図１に示す如く、地面を浅く掘って溝を作り、溝にねじり平鋼（４）を捩じ込んで立て、溝にコンクリートを流し込んで基礎（１）を作る。次にねじり平鋼が通る丸穴（５）を開けたコンクリートブロック（２ａ）を作り、丸穴にねじり平鋼を通して基礎の上に並べ、丸穴にコンクリートを流し込んで行く。この様にしてコンクリートブロックを順次積み上げて、塀を構築した。尚流し込む時に、バイブレーターを使えば、コンクリートは、穴とねじり平鋼との間の空間を埋め尽くして、確実に固定する事が出来る。
【０００６】
ここでねじり平鋼を地面に捩じ込んだ場合について説明すると、螺旋状の平鋼がコルクの栓抜きのように、地面に捩じ込まれているので、ねじり平鋼が回らなければ、地面が割れない限り抜けてこない。同様な事が押込む時にも言えるので、ねじり平鋼を引抜いたり押込んだりする事は、容易な事ではない。
【０００７】
従って地面に捩じ込んで立てたねじり平鋼を芯金に入れて結合したコンクリートブロックは、重い荷重や引抜き荷重に耐える事が出来るので、容易に倒壊する事がない。
【０００８】
次にコンクリートブロックに、ねじり平鋼を横に通して結合する方法について説明する。図２に示す如く、先ずコンクリートブロックに、ねじり平鋼の外形を型どったネジ穴（６）の横穴を開ける。この横穴は、コンクリートを型に流し込んでコンクリートブロックを作る時に、中にねじり平鋼を入れて置き、後で引き抜けば容易に出来る。
【０００９】
そこでこのコンクリートブロック（２ｂ）を複数個横に並べ、端のブロックのネジ穴から、順次ねじり平鋼（４′）を矢印の方向に回しながら叩き込んで、もう一方の端に達するようにすれば、コンクリートブロックを横に結合する事が出来る。
【００１０】
更に図３に示す如く、コンクリートブロック（２Ｃ）に、縦に丸穴（５）を開け、横にネジ穴（６）を開けておけば、複数のコンクリートブロックの縦と横を各々ねじり平鋼で結合する事が出来る。
【００１１】
そこでこのコンクリートブロックを用いて塀を立てるには、先ず地面を浅く掘って溝を作り、溝にねじり平鋼（４）を捩じ込んで立て、溝にコンクリートを流し込んで基礎（１）を作る。次にこのねじり平鋼をコンクリートブロックの丸穴（５）に通して、一段目の複数個のコンクリートブロックを並べる。
【００１２】
次に端のコンクリートブロックのネジ穴（６）にねじり平鋼（４′）を、回しながら叩き込んで、もう一方の端に達するようにすれば、複数個のコンクリートブロックが横に連結される。この様にして一段目を敷設し終わってから、各丸穴にバイブレーターを使いながら、コンクリートを流し込んで行けば一段目のブロックが完成する。
以下この様にしてコンクリートブロックを、順次所定の高さまで積み上げると、ブロックの縦と横にねじり平鋼が通った、より堅固な塀を構築する事が出来る。
【００１３】
【発明の実施の形態】
このように、コンクリートブロックの縦と横に、ねじり平鋼を通して結合する工法は、図４に示す如く、コンクリートブロック（２ｄ）を更に大きな物とし、これらを数列敷き積めて、これを上に数段積み上げれば、建物の基礎になる様な、大きな構造物を作る事が出来る。
【００１４】
この基礎の特徴は、地面に捩じ込んだねじり平鋼の上に基礎を築いている事である。ねじり平鋼は段落６、７で述べた通り、勝れた地耐力を持っているので、軟弱地盤の上に築いた構造物の沈下を防止する能力がある。
【００１５】
またこの基礎のもう一つの特徴は、工事期間が短く経費がかからない事である。
従来のこのような基礎を作るには、先ず地面を掘って地面に数本の杭を打ち込み、次にコンクリートを流し込んで基礎を作り、その上に型枠を組んで、中に鉄骨で組んだ枠を入れ、次に型枠にコンクリートを流し込んで、固まってから型枠を外して埋め戻していた。
この様に従来の基礎を作る工法は、工事期間が長く経費が掛かっていたが、本発明の基礎を作る工法は、工場で生産したコンクリートブロックを、現場に運んで組み立てるだけなので、工事期間が短く、経費が掛からない。
【００１６】
尚コンクリートブロックをねじり平鋼で結合する方法は、コンクリートブロックに限らず、プラスチック製品等他の物を結合する事も可能である。
【００１７】
【発明の効果】
以上のように本発明のねじり平鋼により、コンクリートブロックを結合する方法は、コンクリートブロックを縦、横に簡単に結合する事が出来るので、この方法を用いて作ったコンクリートブロックの構造物は、勝れた地耐力を有し、その上工場で大量生産したコンクリートブロックを、現場に運んで組み立てるので、工事期間が短く、経費が掛からない勝れた効果がある。
【図面の簡単な説明】
【図１】本発明請求項２記載の実施形態の一部を示す（イ）は正面図、（ロ）は平面図。
【図２】本発明請求項１記載の実施形態を示す（イ）は正面図、（ロ）は側面図。
【図３】本発明請求項３記載の実施形態を示す（イ）は正面図、（ロ）は平面図。
【図４】本発明請求項３記載の他の実施形態を示す（イ）は正面図、（ロ）は平面図。
【図５】従来のコンクリートブロックの結合例を示す（イ）は正面図、（ロ）は平面図。
【図１】
0004558905.tif 000002
【図２】
0004558905.tif 000003
【図３】
0004558905.tif 000004
【図４】
0004558905.tif 000005
【図５】
0004558905.tif 000006